(57)【要約】【課題】切り欠き位置が異なるトレーを用意して交互に重ねることで深く重ならないようにした従来では２種類の電子部品収納用トレーが必要であるので、設計費が高くなり、またトレー重ね合わせ時の煩わしさがある。【解決手段】電子部品収納用トレー１１は、隣り合う部品収納部１２の端部の間に貫通する空気抜け用の穴１３が全部で８箇所、穿設されている点に特徴がある。これにより、電子部品収納トレー１１を複数段重ねたときでも、最上段から最下段までの電子部品収納用トレー１１の空気抜け用穴１３が連通して空気が通り抜けることが可能になるため、数段に重なった電子部品収納用トレー１３を容易に取り外すことができる。また、電子部品収納用トレー１１の１種類のみで取り外しの容易なトレーを実現できる。【選択図】図１
2007145358.tif 000002
【特許請求の範囲】
【請求項１】
電子部品を内部に収納する電子部品収納用トレーにおいて、
トレー本体に複数個の空気抜け用の穴が穿設されていることを特徴とする電子部品収納用トレー。
【請求項２】
トレー本体に設けられた部品収納部と、
前記部品収納部以外のトレー本体の領域に穿設された、貫通孔である複数個の空気抜け用穴と
を有することを特徴とする電子部品収納用トレー。
【請求項３】
前記部品収納部は、トレー本体に規則的に一定方向に形成された複数の凹部からなり、前記複数個の空気抜け用穴は、隣り合う前記部品収納部の間の端部間に穿設されていることを特徴とする請求項２記載の電子部品収納用トレー。
【請求項４】
トレー本体に設けられた複数の部品収納部と、
複数の前記部品収納部のうち、少なくとも１つの部品収納部内に穿設された貫通孔である空気抜け用穴と
を有することを特徴とする電子部品収納用トレー。
【請求項５】
複数の前記部品収納部のそれぞれは、トレー本体に規則的に一定方向に形成された凹部からなることを特徴とする請求項４記載の電子部品収納用トレー。
【請求項６】
前記トレー本体は、複数段重ね合わせ可能な構造とされていることを特徴とする請求項１乃至５のうちいずれか一項記載の電子部品収納用トレー。
【発明の詳細な説明】
【技術分野】
【０００１】
本発明は部品収納用トレーに係り、特に電子部品を収納する部品収納用トレーに関する。
【背景技術】
【０００２】
図８は従来の部品収納用トレーの一例の上面図、図９は図８のＡ−Ａ’線に沿う断面図を示す。図８及び図９に示すように、この従来の部品収納用トレー１は、トレー本体に下側に凸（凹部）の部品収納部２が水平方向に５列配設された構造であり、各部品収納部２には、例えば携帯電話用電池パックの保護回路基板が１０個ずつ収納される。勿論、部品収納部２に収納される電子部品は、保護回路基板以外の各種の電子部品を収納できる。
【０００３】
この部品収納用トレー１は通常は、部品収納後に数段に重ねられた状態で納入される。図１０は図８の部品収納用トレー１を３段重ねた時の図８のＢ−Ｂ’線に沿う断面図、図１１は図８の部品収納用トレー１を３段重ねた時の図８のＡ−Ａ’線に沿う断面図を示す。しかし、図８に示すような何の細工も施されていない電子部品収納用トレー１を、数段（図１０や図１１の例では３段）重ねられた状態から、素早くトレーを外すことは容易ではない。
【０００４】
何故なら、重なった部品収納用トレー１を素早く外そうとすると、重ねられた上の部品収納用トレー１に下の部品収納用トレー１が一瞬引っ張られるような状態となる。それは、部品収納用トレー１を素早く外そうとすると、重なっている上側の部品収納用トレー１と、下側の部品収納用トレー１との間の空間に瞬間的に空気が入り込めなくなるからである。このため、数段に重なった状態からは外しにくく、作業者が急いで外そうとすると、収納されている小型軽量の電子部品は誤って部品をバラバラにしてしまう等のミスを起こす可能性がある。
【０００５】
そこで、従来、図１２に上面図、図１３に図１２のＦ−Ｆ’線に沿う断面図を示す第１の電子部品収納用トレー３と、図１４に上面図、図１５に図１４のＧ−Ｇ’線に沿う断面図を示す第２の電子部品収納用トレー６とを用意している。図１２及び図１３に示すように、電子部品収納用トレー３は、部品収納部４が水平方向に５列配設されると共に、部品収納部４とトレー本体の周縁部との間の所定位置に下側に凸の切り欠き部５が形成された構造である。
【０００６】
もう一方の電子部品収納用トレー６も、図１４及び図１５に示すように、部品収納部７が水平方向に５列配設されると共に、部品収納部７とトレー本体の周縁部との間の所定位置に下側に凸の切り欠き部８が形成された構造であるが、上記の電子部品収納用トレー３の切り欠き部５とは、切り欠き部８の位置が異なっている。
【０００７】
部品収納用トレーを重ねるときには、図１６の断面図に示すように、図１２及び図１３に示す電子部品収納用トレー３と、図１４及び図１５に示す電子部品収納用トレー６とを交互に重ねる。これにより、切り欠き部５及び８により、図１６に示すように、電子部品収納用トレー３と６との重なり具合が深くならず、電子部品収納用トレー３、６を外し易くすることができる。
【０００８】
また、従来の電子部品収納用トレーとして、半導体装置収納用凹部の中央に半導体装置の底面を支持する半導体装置支持用凸部と、その周辺の半導体装置の外部リードと対応する位置の四辺に外部リードとの接触を回避する外部リード回避用溝と、この外部リード回避用溝の四隅に半導体装置収納用凹部を補強する補強用コーナリブとを備え、更に、半導体装置支持用凸部の中央に、半導体装置支持用凸部を貫通する半導体装置突き上げ穴を備えた半導体装置用トレーが知られている（例えば、特許文献１参照）。
【０００９】
【特許文献１】特開平８−１１９７７号公報
【発明の開示】
【発明が解決しようとする課題】
【００１０】
しかしながら、図１２〜図１５に示した従来の電子部品収納用トレーでは、電子部品収納用トレー３と６の２種類の電子部品収納用トレーを作製しなければならず、コストが掛かってしまうという問題があり、しかも２種類の電子部品収納用トレー３と６を交互に重ねなければならないという煩わしさもある。
【００１１】
一方、特許文献１記載の従来の電子部品収納用トレーは、半導体装置支持用凸部を貫通する半導体装置突き上げ穴を備え、吸着のための高価な装置を用いることなしに収納している半導体装置を取り出すようにしているが、半導体装置突き上げ穴を通してトレーの下方から収納されている半導体装置を突き上げることにより、半導体装置を取り出す構造であるため、数段に電子部品収納用トレーを重ね合わせた場合に電子部品収納用トレーを取り外し易くすることはできない。
【００１２】
本発明は以上の点に鑑みなされたもので、トレー本体に空気抜け用の穴を設けることにより、トレーの外し易さを実現した電子部品収納用トレーを提供することを目的とする。
【課題を解決するための手段】
【００１３】
上記の目的を達成するため、本発明は、電子部品を内部に収納する電子部品収納用トレーにおいて、トレー本体に複数個の空気抜け用の穴が穿設されていることを特徴とする。この発明では、空気抜け用の穴により電子部品収納用トレーが数段に重なったときでも、トレー間で空気を流通させることができる。
【００１４】
また、上記の目的を達成するため、本発明は、トレー本体に設けられた部品収納部と、部品収納部以外のトレー本体の領域に穿設された、貫通孔である複数個の空気抜け用穴とを有することを特徴とする。
【００１５】
また、上記の目的を達成するため、本発明は、部品収納部は、トレー本体に規則的に一定方向に形成された複数の凹部からなり、複数個の空気抜け用穴は、隣り合う部品収納部の間の端部間に穿設されていることを特徴とする。
【００１６】
また、上記の目的を達成するため、本発明は、トレー本体に設けられた複数の部品収納部と、複数の部品収納部のうち、少なくとも１つの部品収納部内に穿設された貫通孔である空気抜け用穴とを有することを特徴とする。
【００１７】
また、上記の目的を達成するため、本発明は複数の部品収納部のそれぞれは、トレー本体に規則的に一定方向に形成された凹部からなることを特徴とする。ここで、トレー本体は、複数段重ね合わせ可能な構造とされていることを特徴とする。
【発明の効果】
【００１８】
本発明によれば、トレーを複数段重ねたときでも、空気抜け用穴により最上段の電子部品収納用トレーから最下段の電子部品収納用トレーまでの間で空気の抜けが確保できるため、トレーの取り外しが容易となり、素早さを要求される製造現場において、電子部品収納用トレーに収納されている電子部品をばらばらにしてしまう等の作業者のミスを低減させ、製造効率を向上させることができる。
【００１９】
また、本発明によれば、１種類の電子部品収納用トレーのみでトレーの取り外しの容易さを実現できるため、切り欠き位置が異なる２種類のトレーを用意して交互に重ねることで深く重ならないようにした従来に比べて設計費の削減、及びトレー重ね合わせ時の煩わしさをなくすことができる。
【発明を実施するための最良の形態】
【００２０】
次に、本発明の実施の形態について図面を参照して説明する。図１は本発明になる電子部品収納用トレーの第１の実施の形態の上面図、図２は図１のＣ−Ｃ’線に沿う断面図、図３は図１のＤ−Ｄ’線に沿う断面図を示す。図１乃至図３に示すように、本実施の形態の電子部品収納用トレー１１は、平面形状が大略四角形で、四隅が丸みを帯びたトレー本体に、凹部の部品収納部１２が水平方向に５列配設されている点は図８に示した従来の電子部品収納トレー１と同様であるが、本実施の形態では、隣り合う部品収納部１２の端部の間に貫通する空気抜け用の穴１３が全部で８箇所、穿設されている点に特徴がある。
【００２１】
図４は図１乃至図３に示した第１の実施の形態の電子部品収納トレー１１を３段重なねたときの、図１のＤ−Ｄ’線に沿う断面図を示す。同図に示すように、３つの電子部品収納トレー１１の各空気抜け用の穴１３はそれぞれ同一位置にあるため、それらは最上段から最下段までの電子部品収納用トレー１１で連通している。これにより、重ねられた電子部品収納用トレーを素早く外そうとする時に、従来の電子部品収納用トレー１では重なった上下トレーの空間への空気の通り道がなく、重なった電子部品収納用トレー１を外すのは容易ではなく、また、突き上げ穴が穿設されている特許文献１記載の電子部品収納用トレーでは、複数段重ねた時でも空気が抜けないため、電子部品収納用トレーの取り外しは容易ではないが、本実施の形態の電子部品収納用トレー１１では、図４に示すように、空気抜け用の穴１３により空気が通り抜けることが可能になるため、数段に重なった電子部品収納用トレー１３を容易に取り外すことができる。
【００２２】
従って、本実施の形態によれば、数段に重ねられて納入された電子部品収納用トレー１３を取り外す際に、収納している電子部品をバラバラにしてしまう等の作業者のミスを低減させ、製造効率を向上させることができる。また、本実施の形態によれば、図１２〜図１５に示したような、切り欠き部５、８の位置が異なる２種類の２種類の電子部品収納用トレー３及び６を用意しなくても、１種類の電子部品収納用トレー１１のみでも容易に取り外すことができるため、設計費を削減することが可能であり、また２種類の電子部品収納用トレーを交互に重ねるという煩わしさから作業者を解放できる。
【００２３】
次に、本発明の第２の実施の形態について説明する。図５は本発明になる電子部品収納用トレーの第２の実施の形態の上面図、図６は図５のＥ−Ｅ’線に沿う断面図を示す。図５及び図６に示すように、本実施の形態の電子部品収納用トレー１５は、平面形状が大略四角形で、四隅が丸みを帯びたトレー本体に、凹部の部品収納部１６が水平方向に５列配設されている点は図８に示した従来の電子部品収納トレー１と同様であるが、本実施の形態では、各部品収納部１６の中央部に、貫通する空気抜け用の穴１７がそれぞれ穿設されている点に特徴がある。
【００２４】
図７は図５及び図６に示した第２の実施の形態の電子部品収納トレー１５を３段重なねたときの、図５のＥ−Ｅ’線に沿う断面図を示す。同図に示すように、３つの電子部品収納トレー１５の各空気抜け用の穴１７はそれぞれ同一位置にあるため、それらは最上段から最下段までの電子部品収納用トレー１５で連通している。これにより、重ねられた電子部品収納用トレー１５を素早く外そうとする時に、従来の電子部品収納用トレー１では重なった上下トレーの空間への空気の通り道がなく、重なった電子部品収納用トレー１を外すのは容易ではなく、また、突き上げ穴が穿設されている特許文献１記載の電子部品収納用トレーでは、複数段重ねた時でもにより空気が抜けないため、電子部品収納用トレーの取り外しは容易ではないが、本実施の形態の電子部品収納用トレー１５では、図７に示すように、空気抜け用の穴１７により空気が通り抜けることが可能になるため、数段に重なった電子部品収納用トレー１５を容易に取り外すことができる。
【００２５】
なお、本発明は以上の実施の形態に限定されるものではなく、例えば、空気抜け用の穴の場所は、図１の１３、図５の１７に以外の、収納する電子部品に支障がなく、空気抜けの効果が得られる場所であればどこでもよい。また、図５の実施の形態では部品収納部１６の全部に空気抜け用の穴１７を穿設しているが、少なくとも１つの部品収納部１６の内部に空気抜け用の穴１７を穿設することも可能である。
【図面の簡単な説明】
【００２６】
【図１】本発明の電子部品収納用トレーの第１の実施の形態の上面図である。
【図２】図１のＣ−Ｃ’線に沿う断面図である。
【図３】図１のＤ−Ｄ’線に沿う断面図である。
【図４】図１の電子部品収納用トレーを３段重ねた時のＤ−Ｄ’ 線に沿う断面図である。
【図５】本発明の電子部品収納用トレーの第２の実施の形態の上面図である。
【図６】図５のＣ−Ｃ’線に沿う断面図である。
【図７】図５の電子部品収納用トレーを３段重ねた時のＥ−Ｅ’ 線に沿う断面図である。
【図８】従来の電子部品収納用トレーの一例の上面図である。
【図９】図８のＡ−Ａ’線に沿う断面図である。
【図１０】図８の電子部品収納用トレーを３段重ねた時のＢ−Ｂ’線に沿う断面図である。
【図１１】図８の電子部品収納用トレーを３段重ねた時のＡ−Ａ’線に沿う断面図である。
【図１２】従来の電子部品収納用トレーの他の例の上面図である。
【図１３】図１２のＥ−Ｅ’線に沿う断面図である。
【図１４】従来の電子部品収納用トレーの更に他の例の上面図である。
【図１５】図１４のＧ−Ｇ’線に沿う断面図である。
【図１６】図１２の電子部品収納用トレーと図１４の電子部品収納用トレーとを交互に重ねた時の断面の図である。
【符号の説明】
【００２７】
１１、１５  電子部品収納用トレー
１２、１６  部品収納部
１３、１７  空気抜け用の穴
【図１】
2007145358.tif 000003
【図２】
2007145358.tif 000004
【図３】
2007145358.tif 000005
【図４】
2007145358.tif 000006
【図５】
2007145358.tif 000007
【図６】
2007145358.tif 000008
【図７】
2007145358.tif 000009
【図８】
2007145358.tif 000010
【図９】
2007145358.tif 000011
【図１０】
2007145358.tif 000012
【図１１】
2007145358.tif 000013
【図１２】
2007145358.tif 000014
【図１３】
2007145358.tif 000015
【図１４】
2007145358.tif 000016
【図１５】
2007145358.tif 000017
【図１６】
2007145358.tif 000018